(57)【要約】【課題】オペレータやユーザが自らの経験や感覚に基づく判断の下に選択し又は設定したグリッドでは、座標や図形の入力が容易にならないことがあった。【解決手段】一のコンテンツを配置すべき一の領域を指定するために使用すべきコンテンツ用グリッドシステムを複数のグリッドシステムから選択することを支援すべく、前記一のコンテンツに先立つ１つ以上のコンテンツを配置すべき１つ以上の領域を指定するための使用についての前記複数のグリッドシステムの使用履歴を記憶する記憶部と、前記記憶部に記憶された前記使用履歴に基づき、前記複数のグリッドシステムから前記コンテンツ用グリッドシステムを抽出する抽出部を含む。【選択図】図１
2007226289.tif 000002
【特許請求の範囲】
【請求項１】
一のコンテンツを配置すべき一の領域を指定するために使用すべきコンテンツ用グリッドシステムを複数のグリッドシステムから選択することを支援するグリッドシステム選択支援装置であって、
前記一のコンテンツに先立つ１つ以上のコンテンツを配置すべき１つ以上の領域を指定するための使用についての前記複数のグリッドシステムの使用履歴を記憶する記憶部と、
前記記憶部に記憶された前記使用履歴に基づき、前記複数のグリッドシステムから前記コンテンツ用グリッドシステムを抽出する抽出部を含むことを特徴とするグリッドシステム選択支援装置。
【請求項２】
前記記憶部は、前記使用履歴として、各グリッドシステム毎に、当該グリッドシステムが前記１つ以上の領域を指定するために使用された使用回数を記憶し、
前記抽出部は、前記使用回数に基づき、前記コンテンツ用グリッドシステムを抽出することを特徴とする請求項１記載のグリッドシステム選択支援装置。
【請求項３】
前記１つ以上の領域についての前記複数のグリッドシステムの使用回数を管理する管理部を更に含むことを特徴とする請求項２記載のグリッドシステム選択支援装置。
【請求項４】
前記記憶部は、各グリッドシステム毎に、当該グリッドシステムが有する複数のグリッドポイントの個数を更に記憶し、
前記管理部は、グリッドシステムの使用回数が大きい順に、当該グリッドシステムにおけるグリッドポイントの個数を加算することにより、グリッドポイントの個数の合計を算出し、
前記抽出部は、前記管理部が前記個数の合計を算出する過程で、当該個数の合計が所定個数より大きくなったときまでに前記管理部が個数を加算した１つ以上のグリッドシステムを、前記コンテンツ用グリッドシステムとして抽出することを特徴とする請求項２記載のグリッドシステム選択支援装置。
【請求項５】
前記管理部は、各グリッドシステムが有する複数のグリッドポイントの各グリッドポイント毎における前記複数のグリッドシステムの使用回数の合計が大きい順に、当該グリッドポイントの使用回数の合計を加算することにより、グリッドポイントの使用回数の合計の累積を算出し、
前記抽出部は、前記管理部が前記使用回数の合計の累積を算出する過程で、当該使用回数の合計の累積が所定回数より大きくなったときまでに前記管理部が使用回数の合計を加算した１つ以上のグリッドポイントを、前記コンテンツ用グリッドシステムとして抽出することを特徴とする請求項２記載のグリッドシステム選択支援装置。
【請求項６】
前記管理部は、前記１つ以上の領域の指定における前記複数のグリッドシステムの前記使用回数を管理するとき、前記１つ以上のコンテンツに先立つ他の１つ以上のコンテンツを配置すべき他の１つ以上の領域の指定における前記複数のグリッドシステムの他の使用回数を初期回数とせず、又は、初期回数とすることを特徴とする請求項３記載のグリッドシステム選択支援装置。
【請求項７】
一のコンテンツを配置すべき一の領域を指定するために使用すべきコンテンツ用グリッドシステムを複数のグリッドシステムから選択することを支援するグリッドシステム選択支援方法であって、
前記一のコンテンツに先立つ１つ以上のコンテンツを配置すべき１つ以上の領域を指定するための使用についての前記複数のグリッドシステムの使用履歴に基づき、前記複数のグリッドシステムから前記コンテンツ用グリッドシステムを抽出する抽出工程を含むことを特徴とするグリッドシステム選択支援方法。
【請求項８】
前記使用履歴は、各グリッドシステム毎に、当該グリッドシステムが前記１つ以上の領域を指定するために使用された使用回数であり、
前記抽出工程は、前記使用回数に基づき、前記コンテンツ用グリッドシステムを抽出することを特徴とする請求項７記載のグリッドシステム選択支援方法。
【請求項９】
前記１つ以上の領域についての前記複数のグリッドシステムの使用回数を管理する管理工程を更に含むことを特徴とする請求項８記載のグリッドシステム選択支援方法。
【請求項１０】
前記管理工程は、グリッドシステムの使用回数が大きい順に、当該グリッドシステムにおけるグリッドポイントの個数を加算することにより、グリッドポイントの個数の合計を算出し、
前記抽出工程は、前記管理工程が前記個数の合計を算出する過程で、当該個数の合計が所定個数より大きくなったときまでに前記管理工程が個数を加算した１つ以上のグリッドシステムを、前記コンテンツ用グリッドシステムとして抽出することを特徴とする請求項８記載のグリッドシステム選択支援方法。
【請求項１１】
前記管理工程は、各グリッドシステムが有する複数のグリッドポイントの各グリッドポイント毎における前記複数のグリッドシステムの使用回数の合計が大きい順に、当該グリッドポイントの使用回数の合計を加算することにより、グリッドポイントの使用回数の合計の累積を算出し、
前記抽出工程は、前記管理工程が前記使用回数の合計の累積を算出する過程で、当該使用回数の合計の累積が所定回数より大きくなったときまでに前記管理工程が使用回数の合計を加算した１つ以上のグリッドポイントを、前記コンテンツ用グリッドシステムとして抽出することを特徴とする請求項８記載のグリッドシステム選択支援方法。
【請求項１２】
前記管理工程は、前記１つ以上の領域の指定における前記複数のグリッドシステムの前記使用回数を管理するとき、前記１つ以上のコンテンツに先立つ他の１つ以上のコンテンツを配置すべき他の１つ以上の領域の指定における前記複数のグリッドシステムの他の使用回数を初期回数とせず、又は、初期回数とすることを特徴とする請求項９記載のグリッドシステム選択支援方法。
【請求項１３】
一のコンテンツを配置すべき一の領域を指定するために使用すべきコンテンツ用グリッドシステムを複数のグリッドシステムから選択することを、抽出部を有するコンピュータにより支援させるグリッドシステム選択支援プログラムであって、
抽出部に、前記一のコンテンツに先立つ１つ以上のコンテンツを配置すべき１つ以上の領域を指定するための使用についての前記複数のグリッドシステムの使用履歴に基づき、前記複数のグリッドシステムから前記コンテンツ用グリッドシステムを抽出させる抽出工程を含むことを特徴とするグリッドシステム選択支援プログラム。
【請求項１４】
前記使用履歴は、各グリッドシステム毎に、当該グリッドシステムが前記１つ以上の領域を指定するために使用された使用回数であり、
前記抽出工程は、前記使用回数に基づき、前記コンテンツ用グリッドシステムを抽出させることを特徴とする請求項１３記載のグリッドシステム選択支援プログラム。
【請求項１５】
前記コンピュータは、更に、管理部を有し、
前記管理部に、前記１つ以上の領域についての前記複数のグリッドシステムの使用回数を管理させる管理工程を更に含むことを特徴とする請求項１４記載のグリッドシステム選択支援プログラム。
【請求項１６】
前記管理工程は、グリッドシステムの使用回数が大きい順に、当該グリッドシステムにおけるグリッドポイントの個数を加算することにより、グリッドポイントの個数の合計を算出させ、
前記抽出工程は、前記管理工程が前記個数の合計を算出する過程で、当該個数の合計が所定個数より大きくなったときまでに前記管理工程が個数を加算した１つ以上のグリッドシステムを、前記コンテンツ用グリッドシステムとして抽出させることを特徴とする請求項１４記載のグリッドシステム選択支援プログラム。
【請求項１７】
前記管理工程は、各グリッドシステムが有する複数のグリッドポイントの各グリッドポイント毎における前記複数のグリッドシステムの使用回数の合計が大きい順に、当該グリッドポイントの使用回数の合計を加算することにより、グリッドポイントの使用回数の合計の累積を算出させ、
前記抽出工程は、前記管理工程が前記使用回数の合計の累積を算出する過程で、当該使用回数の合計の累積が所定回数より大きくなったときまでに前記管理工程が使用回数の合計を加算した１つ以上のグリッドポイントを、前記コンテンツ用グリッドシステムとして抽出させることを特徴とする請求項１４記載のグリッドシステム選択支援プログラム。
【請求項１８】
前記管理工程は、前記１つ以上の領域の指定における前記複数のグリッドシステムの前記使用回数を管理するとき、前記１つ以上のコンテンツに先立つ他の１つ以上のコンテンツを配置すべき他の１つ以上の領域の指定における前記複数のグリッドシステムの他の使用回数を初期回数とさせず、又は、初期回数とさせることを特徴とする請求項１５記載のグリッドシステム選択支援プログラム。
【請求項１９】
請求項１３に記載されたグリッドシステム選択支援プログラムが記録されたコンピュータ読み取り可能な記録媒体。
【発明の詳細な説明】
【技術分野】
【０００１】
本発明は、写真、画像、文字等のコンテンツが吸着（拘束）されるべきグリッドポイントについてその間隔及び位置等が規定された複数のグリッドシステムから、前記コンテンツを配置すべき領域を指定するために使用することが望ましいグリッドシステムを選択することを支援するグリッドシステムの選択支援装置、選択支援方法、選択支援プログラム、及び記録媒体に関する。
【背景技術】
【０００２】
従来のグリッドシステム選択支援装置では、下記の特許文献１及び特許文献２に記載されているように、オペレータやユーザが、座標入力や図形入力を容易にすべく、当該装置が表示する複数のグリッド（グリッドシステムに相当。）の中から必要なグリッドを選択し、または、所望のグリッドを設定する。
【０００３】
【特許文献１】特開昭６４−１７１５６号公報
【特許文献２】特開平３−２６９６７８号公報
【発明の開示】
【発明が解決しようとする課題】
【０００４】
しかしながら、上記した従来のグリッドシステム選択支援装置では、オペレータやユーザが、自らの経験や感覚に基づく判断の下にグリッドを選択し又は設定することから、当該選択し又は設定したグリッドを使用しても、前記座標や図形の入力が容易にならないことがあり、換言すれば、前記座標や図形の入力を容易にするために好適なグリッドを選択し又は設定することができないことがあるという問題があった。
【課題を解決するための手段】
【０００５】
上記した課題を解決すべく、本発明に係るグリッドシステムの選択支援装置、選択支援方法、選択支援プログラム、及び記録媒体（以下、本欄で「選択支援装置等」という。）は、基本的に、一のコンテンツを配置すべき一の領域を指定するために使用すべきコンテンツ用グリッドシステムを複数のグリッドシステムから選択することを支援するグリッドシステム選択支援装置であって、前記一のコンテンツに先立つ１つ以上のコンテンツを配置すべき１つ以上の領域を指定するための使用についての前記複数のグリッドシステムの使用履歴を記憶し、前記記憶された前記使用履歴に基づき、前記複数のグリッドシステムから前記コンテンツ用グリッドシステムを抽出する。
【０００６】
本発明に係るグリッドシステムの選択支援装置等によれば、前記一のコンテンツに先立つ１つ以上のコンテンツを配置すべき１つ以上の領域を指定するための使用についての前記複数のグリッドシステムの使用履歴に基づき、当該複数のグリッドシステムから、前記一のコンテンツを配置すべき前記一の領域を指定するために使用すべき前記コンテンツ用グリッドシステムを抽出することから、従来のような、人の経験や感覚に基づくグリッドシステムの選択と異なり、前記一のコンテンツを配置すべき前記一の領域を指定するために使用することが望ましいグリッドシステムを確実に選択することを支援することができる。
【０００７】
上記した本発明に係るグリッドシステムの選択支援装置等では、前記使用履歴は、各グリッドシステム毎に、当該グリッドシステムが前記１つ以上の領域を指定するために使用された使用回数であり、前記抽出を前記使用回数に基づき行う。
【０００８】
上記した本発明に係るグリッドシステムの選択支援装置等では、前記１つ以上の領域についての前記複数のグリッドシステムの使用回数を管理する。
【０００９】
上記した本発明に係るグリッドシステムの選択支援装置等では、グリッドシステムの使用回数が大きい順に、当該グリッドシステムにおけるグリッドポイントの個数を加算することにより、グリッドポイントの個数の合計を算出し、前記個数の合計を算出する過程で、当該個数の合計が所定個数より大きくなったときまでに個数を加算した１つ以上のグリッドシステムを、前記コンテンツ用グリッドシステムとして抽出する。
【００１０】
上記した本発明に係るグリッドシステムの選択支援装置等では、各グリッドシステムが有する複数のグリッドポイントの各グリッドポイント毎における前記複数のグリッドシステムの使用回数の合計が大きい順に、当該グリッドポイントの使用回数の合計を加算することにより、グリッドポイントの使用回数の合計の累積を算出し、前記使用回数の合計の累積を算出する過程で、当該使用回数の合計の累積が所定回数より大きくなったときまでに使用回数の合計を加算した１つ以上のグリッドポイントを、前記コンテンツ用グリッドシステムとして抽出する。
【００１１】
上記した本発明に係るグリッドシステムの選択支援装置等では、前記１つ以上の領域の指定における前記複数のグリッドシステムの前記使用回数を管理するとき、前記１つ以上のコンテンツに先立つ他の１つ以上のコンテンツを配置すべき他の１つ以上の領域の指定における前記複数のグリッドシステムの他の使用回数を初期回数とせず、又は、初期回数とする。
【発明を実施するための最良の形態】
【００１２】
本発明に係るグリッドシステム選択支援装置の実施例について図面を参照して説明する。
【００１３】
《実施例》
〈構成〉
図１は、実施例のグリッドシステム選択支援装置の構成を示す。実施例のグリッドシステム選択支援装置Ｄ１は、図２に示されるように、表示部６により表示される平面Ｓ上にオペレータが配置する、写真、画像、文字等のコンテンツＣ（より詳細には、コンテンツＣ１〜Ｃ３（後述））の位置、即ち領域を矩形に指定するために使用することが望ましいグリッドシステムＧＳ（複数のグリッドポイントＧＰからなる。）を、第１〜第５のグリッドシステムＧＳ１〜ＧＳ５（図３に図示）の中から選択することを支援すべく、操作部１と、処理部２と、管理部３と、記憶部４と、抽出部５と、表示部６とを含む。
【００１４】
グリッドシステム選択支援装置Ｄ１の説明に先立ち、第１〜第５のグリッドシステムＧＳ１〜ＧＳ５について説明する。
【００１５】
図３、図４、図５は、第１〜第５のグリッドシステムの内容を示す。第１のグリッドシステムＧＳ１は、図３に示されるように、基準が（０、０）であり、グリッド間隔（グリッドポイントＧＰ同士の間の距離）が「１０ｍｍ」である。このことから、第１のグリッドシステムＧＳ１では、図４（Ａ）に示されるように、座標（０、０）を基準として１０ｍｍ毎にグリッドポイントＧＰが存在する。第１のグリッドシステムＧＳ１は、更に、図３に示されるように、吸着位置（「吸着」とは、コンテンツＣが配置されたときに、コンテンツＣの領域の所定の位置（例えば、角の位置や辺の位置。）を近傍のグリッドポイントＧＰに近似させることをいう。一般的には、「拘束」と呼ばれることもある。但し、本明細書では、「吸着」で統一する。）が「左上と右下」である。このことから、グリッドシステム選択支援装置Ｄ１は、オペレータが前記第１のグリッドシステムＧＳ１上にコンテンツＣを配置すると、図５（Ａ）に示されるように、コンテンツＣの領域の左上の位置を近傍に存在するグリッドポイントＧＰに近似させ、かつ、コンテンツＣの領域の右下の位置を近傍に存在するグリッドポイントＧＰに近似させる。
【００１６】
第２のグリッドシステムＧＳ２は、図３に示されるように、基準が（０、０）であり、グリッド間隔が「２０ｍｍ」であり、吸着位置が「左上と右下」であることから、図４（Ｂ）に示されるように、座標（０、０）を基準として２０ｍｍ毎にグリッドポイントＧＰが存在し、かつ、図５（Ａ）に示されるように、コンテンツＣの領域の左上及び右下の位置を近傍のグリッドポイントＧＰに近似させる。
【００１７】
第３のグリッドシステムＧＳ３は、図３に示されるように、基準が（０、０）であり、グリッド間隔が「５ｍｍ」であり、吸着位置が「左上と右下」であることから、図４（Ｃ）に示されるように、座標（０、０）を基準として５ｍｍ毎にグリッドポイントＧＰが存在し、かつ、図５（Ａ）に示されるように、コンテンツＣの領域の左上と右下の位置を近傍のグリッドポイントＧＰに近似させる。
【００１８】
第４のグリッドシステムＧＳ４は、図３に示されるように、基準が（０、０）であり、グリッド間隔が「２０ｍｍ」であり、吸着位置が「中央下」であることから、図４（Ｄ）に示されるように、座標（０、０）を基準として２０ｍｍ毎にグリッドポイントＧＰが存在し、かつ、図５（Ｂ）に示されるように、コンテンツＣの領域の下辺の中央の位置を近傍のグリッドポイントＧＰに近似させる。
【００１９】
第５のグリッドシステムＧＳ５は、図３に示されるように、基準が（３０、３０）であり、グリッド間隔が「１００ｍｍ」であり、吸着位置が「左中央」であることから、図４（Ｅ）に示されるように、座標（３０、３０）を基準として１００ｍｍ毎にグリッドポイントＧＰが存在し、かつ、図５（Ｃ）に示されるように、コンテンツＣの領域の左辺の中央の位置を近傍のグリッドポイントＧＰに近似させる。
【００２０】
図１に戻り、操作部１は、例えばマウスやキーボードからなり、オペレータが、表示部６に表示された平面Ｓ上で、前記コンテンツＣを配置すべき領域を指定するために用いられる。
【００２１】
処理部２は、例えばＣＰＵからなり、グリッドシステム選択支援装置Ｄ１の全体的な動作を制御し、例えば、表示部６に前記コンテンツＣやグリッドシステムＧＳを表示させる。
【００２２】
管理部３は、前記コンテンツＣの配置に関し、第１〜第５のグリッドシステムＧＳ１〜ＧＳ５のいずれを使用することが望ましいか否かを管理し、より詳しくは、第１〜第５のグリッドシステムＧＳ１〜ＧＳ５の使用可否フラグＦＧ（図１０に図示。オペレータがコンテンツＣの配置に使用することが望ましいグリッドシステムＧＳを表示部６に優先的に表示することにより当該優先の旨をオペレータに知らせるため、あるいは、処理部２においてコンテンツＣを配置するのに用いるグリッドシステムＧＳを選択するための指標。）について、過去から現在までに亘る使用回数ＣＴが大きい順に、３つのグリッドシステムＧＳの使用可否フラグＦＧを「可」に設定すると共に、残りの２つのグリッドシステムＧＳの使用可否フラグＦＧを「否」に設定するという『使用可否フラグ規則』に従って、第１〜第５のグリッドシステムＧ１〜ＧＳ５の使用可否フラグＦＧを「可」又は「否」に維持し、又は、「可」から「否」へ若しくは「否」から「可」へ変更する。
【００２３】
記憶部４は、一般的には、コンテンツＣに先立つ１つ以上のコンテンツ（図示せず）を配置するために第１〜第５の複数のグリッドシステムＧＳ１〜ＧＳ５がどのように使用されたかという使用履歴ＳＲとして、図３及び図１０に示されるように、第１〜第５のグリッドシステムＧＳ１〜ＧＳ５の内容、使用回数ＣＴ、使用可否フラグＦＧを書き換え可能に記憶している。より詳細には、例えば、コンテンツＣ１〜Ｃ３については、コンテンツＣ２を配置しようとするときには、当該コンテンツＣ２に先立つコンテンツＣ１を配置した時点までの第１〜第５のグリッドシステムＧＳ１〜ＧＳ５の使用履歴ＳＲを記憶し、また、コンテンツＣ３を配置しようとするときには、当該コンテンツＣ３に先立つコンテンツＣ２を配置した時点までの第１〜第５のグリッドシステムＧＳ１〜ＧＳ５の使用履歴ＳＲを記憶している。記憶部４は、更に、処理部２、管理部３、抽出部５等の動作を規定するプログラムＰＲ（図６、図８に図示のフローチャート）を記憶している。当該プログラムＰＲは、ＣＤ−ＲＯＭやＦＤやＲＯＭのような記録媒体（図示せず）に予め格納されており、当該記録媒体から記憶部４にコピーすることにより記憶部４に記憶されてもよい。
【００２４】
抽出部５は、上記した使用可否フラグ規則に従いつつ、記憶部４に記憶された複数のグリッドシステムＧＳ１〜ＧＳ５の使用履歴ＳＲに基づき、前記コンテンツＣの配置に使用することが好適なグリッドシステムＧＳを抽出する。
【００２５】
表示部６は、オペレータが操作部１を用いてコンテンツＣを配置する便宜のために、図２に示されるように、平面Ｓに、コンテンツＣを表示し、また、第１〜第５のグリッドシステムＧＳ１〜ＧＳ５の使用可否フラグＦＧに従って、オペレータがコンテンツＣの配置のために使用することが望まれるグリッドシステムＧＳを表示する。
【００２６】
図７は、コンピュータ装置の構成を示す。図１に図示したグリッドシステム選択支援装置Ｄ１と図７に図示の一般的なコンピュータ装置ＣＯＭとの関係について、図１の操作部１は、図７の入力インターフェイス１１０から構成されており、図１の処理部２、管理部３、抽出部５は、図７のＣＰＵ１２０から構成されており、図１の記憶部４は、図７のＲＯＭ、ＲＡＭ１３０から構成されており、図１の表示部６は、図７の出力インターフェイス１４０から構成されている。
【００２７】
〈動作〉
図６は、実施例のグリッドシステム選択支援装置の基本動作を示すフローチャートである。以下、実施例のグリッドシステム選択支援装置Ｄ１の基本動作を説明する。図７に示される実施例のグリッドシステム選択支援装置Ｄ１の基本動作では、ステップＳａは、図８及び図９に示される、実施例のグリッドシステム選択支援装置Ｄ１の動作（具体的な動作）における、ステップＳ１０ａ、Ｓ１１ａ、Ｓ１２ａに概ね対応し、ステップＳｂは、ステップＳ１０ｂ、Ｓ１１ｂ、Ｓ１２ｂに概ね対応し、ステップＳｃは、ステップＳ１０ｃ、Ｓ１１ｃ、Ｓ１２ｃに概ね対応し、ステップＳｄは、ステップＳ１０ｄ、Ｓ１１ｄ、Ｓ１２ｄに概ね対応する。
【００２８】
ステップＳａ：表示部６は、使用可否フラグＦＧに従って、第１〜第５のグリッドシステムＧＳ１〜ＧＳ５のうちの表示すべきものを表示する。
【００２９】
ステップＳｂ：処理部２は、オペレータが表示部６の画面上で操作部１により操作したか否かを確認する。処理部２は、操作があったとき、当該操作が、「コンテンツＣの配置」に関するか、または、「終了」に関するかを確認する。処理部２は、（１）前記操作が「コンテンツＣの配置」に関するとき、図５（Ａ）〜（Ｃ）に示されるように、コンテンツＣの左上等を、当該左上等の近傍に位置するグリッドポイントＧＰに吸着（近似）させ、（２）前記操作が「コンテンツＣの配置」以外の他の処理に関するとき、当該他の処理のための動作を行い、（３）前記操作が「終了」に関するとき、グリッドシステムの選択支援の動作を終了する。
【００３０】
ステップＳｃ：管理部３は、第１〜第５のグリッドシステムＧＳ１〜ＧＳ５のうち、コンテンツＣの配置に使用されたものの使用回数ＣＴを維持し又は変更する。
【００３１】
ステップＳｄ：抽出部５は、使用可否フラグ規則に従って、第１〜第５のグリッドシステムＧＳ１〜ＧＳ５の使用可否フラグＦＧを維持し又は変更する。
【００３２】
図８、及び図９は、実施例のグリッドシステム選択支援装置の動作を示すフローチャートである。以下、実施例のグリッドシステム選択支援装置Ｄ１の動作を図８及び図９のフローチャートに沿って説明する。以下の説明では、オペレータが３つのコンテンツＣ１〜Ｃ３を配置することを想定し、かつ、グリッドシステム選択支援装置Ｄ１の動作の初期時には、図１０（Ａ）に示されるように、第１〜第５のグリッドシステムＧＳ１〜ＧＳ５について、使用回数ＣＴは、全て「０」であり、かつ、使用可否フラグＦＧは、全て「可」であることを前提とする。      
【００３３】
ステップＳ１０ａ：表示部６は、図１０（Ａ）に示されるように、第１〜第５のグリッドシステムＧＳ１〜ＧＳ５の使用可否フラグＦＧが全て「可」であることから、図１１（Ａ）に示されるように、第１〜第５のグリッドシステムＧＳ１〜ＧＳ５を表示する。ここで、図１１（Ａ）では、第１〜第５のグリッドシステムＧＳ１〜ＧＳ５は、少しずつずれて表示されるのではなく、完全に重なって表示されることを表している（他の図１１（Ｂ）、（Ｃ）、（Ｄ）等についても同様。）。
【００３４】
ステップＳ１０ｂ：オペレータは、表示部６が表示する平面Ｓ上で、表示されている第１〜第５のグリッドシステムＧＳ１〜ＧＳ５を参照しながら、操作部１の操作によりコンテンツＣ１を配置する。オペレータによる配置を受けて、処理部２は、図５（Ａ）に示されるように、コンテンツＣ１の左上及び右下を、それぞれ、当該左上の近傍に位置するグリッドポイントＧＰ、当該右下の近傍に位置するグリッドポイントＧＰに吸着させる。ここで、コンテンツＣ１は、図１２に示されるように、左上の位置が（３０、２０）であり、右下の位置が（１７０、６０）である領域に吸着されたものとする（当該領域は、必然的に、左下の位置が（３０、６０）であり、また、右上の位置が（１７０、２０）である。）。
【００３５】
ステップＳ１０ｃ：管理部３は、第１〜第５のグリッドシステムＧＳ１〜ＧＳ５のうちのいずれが、コンテンツＣ１の配置に使用されたかを検出し、第１〜第５のグリッドシステムＧＳ１〜ＧＳ５の使用回数ＣＴを管理し又は維持し、かつ、使用可否フラグＦＧを維持し又は変更する。
【００３６】
具体的には、管理部３は、第１のグリッドシステムＧＳ１の吸着位置が「左上と右下」であることから、コンテンツＣ１の左上（３０、２０）、右下（１７０、６０）が、図４（Ａ）に図示された、第１のグリッドシステムＧＳ１のグリッドポイントＧＰ（０、０）、ＧＰ（１０、０）、ＧＰ（２０、０）、ＧＰ（３０、０）、．．．、ＧＰ（２０、０）、ＧＰ（２０、１０）、ＧＰ（２０、２０）、．．．、ＧＰ（３０、２０）、．．．、ＧＰ（１７０、６０）、．．．のいずれかに一致するか否かを検証する。その結果、管理部３は、「一致する」、即ち、「使用された」と判断することから、図１０（Ｂ）に示されるように、第１のグリッドシステムＧＳ１の使用回数ＣＴを「０」から「１」に変更する。
【００３７】
管理部３は、第２のグリッドシステムＧＳ２の吸着位置が「左上と右下」であることから、コンテンツＣ１の左上（３０、２０）、右下（１７０、６０）が、図４（Ｂ）に図示された、第２のグリッドシステムＧＳ２のグリッドポイントＧＰ（０、０）、ＧＰ（２０、０）、ＧＰ（４０、０）、．．．、ＧＰ（０、２０）、ＧＰ（２０、２０）、ＧＰ（４０、２０）、．．．のいずれかに一致するか否かを検証する。その結果、管理部３は、「一致しない」と判断することから、図１０（Ｂ）に示されるように、第２のグリッドシステムＧＳ２の使用回数ＣＴを「０」のままに維持する。
【００３８】
管理部３は、第３のグリッドシステムＧＳ３の吸着位置が「左上と右下」であることから、コンテンツＣ１の左上（３０、２０）、右下（１７０、６０）が、図４（Ｃ）に図示された、第３のグリッドシステムＧＳ３のグリッドポイントＧＰ（０、０）、ＧＰ（５、０）、ＧＰ（１０、０）、ＧＰ（１５、０）、．．．、ＧＰ（３０、２０）、．．．、ＧＰ（１７０、６０）のいずれかに一致するか否かを検証する。その結果、管理部３は、「一致する」と判断することから、図１０（Ｂ）に示されるように、第３のグリッドシステムＧＳ３の使用回数ＣＴを「０」から「１」に変更する。
【００３９】
管理部３は、第４のグリッドシステムＧＳ４の吸着位置が「中央下」であることから、コンテンツＣ１の中央下（１００、６０）が、図４（Ｄ）に図示された、第４のグリッドシステムＧＳ４のグリッドポイントＧＰ（０、０）、ＧＰ（２０、０）、ＧＰ（４０、０）、．．．、ＧＰ（０、２０）、ＧＰ（２０、２０）、ＧＰ（４０、２０）、．．．、ＧＰ（１００、６０）、．．．のいずれかに一致するか否かを検証する。その結果、管理部３は、「一致する」と判断することから、図１０（Ｂ）に示されるように、第４のグリッドシステムＧＳ４の使用回数ＣＴを「０」から「１」に変更する。
【００４０】
管理部３は、第５のグリッドシステムＧＳ５の吸着位置が「左中央」であることから、コンテンツＣ１の左中央（３０、４０）が、図４（Ｅ）に図示された、第５のグリッドシステムＧＳ５のグリッドポイントＧＰ（３０、３０）、ＧＰ（１３０、３０）、ＧＰ（２３０、３０）、．．．、ＧＰ（３０、１３０）、ＧＰ（１３０、１３０）、ＧＰ（２３０、１３０）、．．．のいずれかに一致するか否かを検証する。その結果、管理部３は、「一致しない」と判断することから、図１０（Ｂ）に示されるように、第５のグリッドシステムＧＳ５の使用回数ＣＴを「０」のままに維持する。
【００４１】
上述した内容を要約すれば、コンテンツＣ１の配置には、第１、第３、第４のグリッドシステムＧＳ１、ＧＳ３、ＧＳ４が使用されていることになる。
【００４２】
ステップＳ１０ｄ：抽出部５は、上記した使用可否フラグ規則に従って、図１０（Ｂ）に示されるように、第１、第３、第４のグリッドシステムＧＳ１、ＧＳ３、ＧＳ４という３つのグリッドシステムの使用可否フラグＦＧを「可」のままに維持すると共に、残りの２つのグリッドシステムＧＳ２、ＧＳ５の使用可否フラグＦＧを「可」から「否」に変更する。
【００４３】
ステップＳ１１ａ：表示部６は、図１０（Ｂ）に示されるように、第１、第３、第４のグリッドシステムＧＳ１、ＧＳ３、ＧＳ４の使用可否フラグＦＧが「可」であることから、図１１（Ｂ）に示されるように、第１、第３、第４のグリッドシステムＧＳ１、ＧＳ３、ＧＳ４を表示する。
【００４４】
ステップＳ１１ｂ：ステップＳ１０ｂと同様に、オペレータは、表示されている第１、第３、第４のグリッドシステムＧＳ１、ＧＳ３、ＧＳ４を参照しつつ、平面Ｓ上でコンテンツＣ２を配置する。オペレータによる配置を受けて、処理部２は、図５（Ａ）に示されるように、コンテンツＣ２の左上及び右下を近傍のグリッドポイントＧＰに吸着させる。ここで、コンテンツＣ２は、図１３に示されるように、左上（３０、６５）、右下（９５、１８０）の領域に吸着されたものとする。
【００４５】
ステップＳ１１ｃ：ステップＳ１０ｃと同様に、管理部３は、コンテンツＣ２の配置のために、第１〜第５のグリッドシステムＧＳ１〜ＧＳ５のいずれが使用されているかを検出し、第１〜第５のグリッドシステムＧＳ１〜ＧＳ５について、使用回数ＣＴの維持し又は変更する。それにより、管理部３は、第３のグリッドシステムＧＳ３が使用されていると判断し、図１０（Ｃ）に示されるように、第３のグリッドシステムＧＳ３の使用回数ＣＴを「１」から「２」に変更する。
【００４６】
ステップＳ１１ｄ：ステップＳ１０ｄと同様に、抽出部５は、第１〜第５のグリッドシステムＧＳ１〜ＧＳ５について、使用可否フラグＦＧの維持又は変更を行う。即ち、抽出部５は、上記した使用可否フラグ規則に基づき、図１０（Ｃ）に示されるように、使用回数ＣＴが多い順に、３つのグリッドシステムＧＳ、即ち、第１、第３、第４のグリッドシステムＧＳ１、ＧＳ３、ＧＳ４の使用可否フラグを「可」のまま維持し、他方で、残りの２つの第２、第５のグリッドシステムＧＳ２、ＧＳ５の使用可否フラグを「否」のまま維持する。
【００４７】
ステップＳ１２ａ：ステップＳ１１ａと同様に、表示部６は、図１０（Ｃ）に示されるように、第１、第３、第４のグリッドシステムＧＳ１、ＧＳ３、ＧＳ４の使用可否フラグが「可」であることから、図１１（Ｃ）に示されるように、これらのグリッドシステムＧＳ１、ＧＳ３、ＧＳ４を表示する。
【００４８】
ステップＳ１２ｂ：ステップＳ１０ｂ、Ｓ１１ｂと同様に、オペレータは、表示されているグリッドシステムＧＳ１、ＧＳ３、ＧＳ４を参照しながら、平面Ｓ上でコンテンツＣ３を配置する。オペレータによる配置を受けて、処理部２は、図５（Ａ）に示されるように、コンテンツＣ３の左上及び右下を近傍のグリッドポイントＧＰに吸着させる。ここで、コンテンツＣ３は、図１４に示されるように、左上（３０、１８５）、右下（９５、２７５）である領域に吸着されたものとする。
【００４９】
ステップＳ１２ｃ：ステップＳ１０ｃ、Ｓ１１ｃと同様に、管理部３は、コンテンツＣ３の配置のために、第１〜第５のグリッドシステムＧＳ１〜ＧＳ５のいずれが使用されているかを検出し、これらのグリッドシステムＧＳ１〜ＧＳ５について、使用回数ＣＴの維持又は変更を行う。それにより、管理部３は、第３、第５のグリッドシステムＧＳ３、ＧＳ５が使用されていると判断し、図１０（Ｄ）に示されるように、第３のグリッドシステムＧＳ３の使用回数ＣＴを「２」から「３」に変更し、かつ、第５のグリッドシステムＧＳ５の使用回数ＣＴを「０」から「１」に変更する。
【００５０】
ステップＳ１２ｄ：抽出部５は、上記した使用可否フラグ規則に基づき、図１０（Ｄ）に示されるように、使用回数ＣＴが多い順に、３つのグリッドシステムＧＳ、即ち、第１、第３、第４、第５のグリッドシステムＧＳ１、ＧＳ３、ＧＳ４、ＧＳ５（グリッドシステムＧＳ１、ＧＳ４、ＧＳ５は、同順二位。）の使用可否フラグＦＧを「可」のまま維持し、又は、「否」から「可」に変更し、他方で、第２のグリッドシステムＧＳ２の使用可否フラグを「否」のままに維持する。
【００５１】
ステップＳ１３：表示部６は、図１０（Ｄ）に示されるように、第１、第３、第４、第５のグリッドシステムＧＳ１、ＧＳ３、ＧＳ４、ＧＳ５の使用可否フラグＦＧが「可」であることから、図１１（Ｄ）に示されるように、これらのグリッドシステムＧＳ１、ＧＳ３、ＧＳ４、ＧＳ５を表示する。
【００５２】
〈効果〉
上述したように、実施例のグリッドシステム選択支援装置Ｄ１では、管理部３が、例えば、オペレータによるコンテンツＣ３の配置に先立ち、コンテンツＣ３に先立つコンテンツＣ１、Ｃ２についての、第１〜第５のグリッドシステムＧＳ１〜ＧＳ５の使用回数ＣＴを管理していくことにより、即ち、これらのグリッドシステムＧＳ１〜ＧＳ５の使用履歴ＳＲ（図１０（Ｃ）に図示）に基づき、コンテンツＣ３の配置のために使用することが望まれるグリッドシステムＧＳ１、ＧＳ３、ＧＳ４（図１１（Ｃ）に図示）を優先的に表示する、あるいは、使用を制限することにより当該グリッドシステムＧＳ１、ＧＳ３、ＧＳ４の使用をオペレータに勧めることから、オペレータは、従来と異なり、自らの経験や感覚に基づく判断を行うことなく、コンテンツＣ３に適したグリッドシステムを選択することが可能となる。
【００５３】
《変形例１》
抽出部５は、上記したような、使用回数ＣＴが多い順に３つのグリッドシステムＧＳを抽出することに代えて、使用回数ＣＴが最も多い１つ（同順位のときには２つ以上。）のグリッドシステムＧＳのみを抽出することによっても、上記したと同様な効果を得ることが可能となる。
【００５４】
《変形例２》
管理部３は、図１０を参照して説明したように、コンテンツＣ１〜Ｃ３の配置のための使用についての第１〜第５グリッドシステムＧＳ１〜ＧＳ５の使用回数ＣＴの保持又は変更を、図１０（Ａ）に示されるように、使用回数ＣＴ「０」から開始することに代えて、コンテンツＣ１〜Ｃ３に先立つ他の１つ以上のコンテンツ（図示せず）の配置のための使用についての第１〜第５のグリッドシステムＧＳ１〜ＧＳ５の使用回数ＣＴ（例えば、使用回数ＣＴ「３」、使用回数ＣＴ「５」）から開始することによっても、上記したと同様な効果を得ることができる。コンテンツＣ１〜Ｃ３に先立つ他の１つ以上のコンテンツとは、対象となっているドキュメントに対するコンテンツＣ１〜Ｃ３以前に操作したコンテンツや、対象となっているドキュメント以外のドキュメントで操作したコンテンツを指している。
【００５５】
《変形例３》
抽出部５は、上記したような、ステップＳ１０ｄ、Ｓ１１ｄ、Ｓ１２ｄで、使用回数ＣＴが多い順に３つのグリッドシステムＧＳの使用可否フラグＦＧを「可」に変更することに代えて、使用回数ＣＴ、及び、グリッドシステムＧＳ毎のグリッドポイント数ＧＰＮ（各グリッドシステムＧＳを構成するグリッドポイントＧＰの総数）を参照することにより、使用可否フラグＦＧを変更しても良い。
【００５６】
より詳細には、（１）図１５に示されるように、第１〜第５のグリッドシステムＧＳ１〜ＧＳ５のグリッドポイント数ＧＰＮが、「６６０」、「１６５」、「２５８０」、「１６５」、「６」であること、及び、（２）使用可否フラグＦＧを「可」にする基準となる、換言すれば、グリッドシステムＧＳを使用すべきか否かの基準となるグリッドポイント数ＧＰＮを「２７００」であることを想定する。当該想定の下に、例えば、変形例１のように、コンテンツＣ１〜Ｃ３に先立つ前記他の１つ以上のコンテンツについての使用履歴ＳＲの更新を経た後、ステップＳ１０ｃでの検証の結果、第１〜第５のグリッドシステムＧＳ１〜ＧＳ５の使用回数ＣＴが、図１６（Ａ）に示されるように、「６」、「５」、「１０」、「８」、「２」であるとすると、管理部３は、まず、使用回数ＣＴが最も多い第３のグリッドシステムＧＳ３（使用回数は「１０」）のグリッドポイント数ＧＰＮ「２５８０」と基準のグリッドポイント数ＧＰＮ「２７００」を比較する。この結果、２５８０＜２７００であることから、管理部３は、グリッドポイント数ＧＰＮ「２５８０」は、基準のグリッドポイント数ＧＰＮ「２７００」を超えていないと認識する。
【００５７】
そこで、管理部３は、次に、使用回数ＣＴがその次に多い第４のグリッドシステムＧＳ４（使用回数は「８」）のグリッドポイント数ＧＰＮ「１６５」を前記グリッドポイント数ＧＰＮ「２５８０」に加算した結果である「２７４５」と前記基準のグリッドポイント数ＧＰＮ「２７００」を比較する。その結果、管理部３は、２７４５＞２７００であり、グリッドポイント数ＧＰＮの合計「２７４５」は、前記基準のグリッドポイント数ＧＰＮ「２７００」を超えている。その結果、抽出部５は、図１６（Ｂ）に示されるように、第３のグリッドシステムＧＳ３、及び、第４のグリッドシステムＧＳ４の使用可否フラグＦＧを「可」に設定し、他方で、他のグリッドシステムＧＳ１、ＧＳ２、ＧＳ５の使用可否フラグＦＧを「否」に設定する。これにより、前記したステップＳ１０ｄ、Ｓ１１ｄ、Ｓ１２ｄに引き続くステップＳ１１ａ、Ｓ１２ａ、Ｓ１３で、表示部６は、図１７に示されるように、第３、第４のグリッドシステムＧＳ３、ＧＳ４を表示することになり、これにより、上記したと同様な効果を得ることができる。
【００５８】
《変形例４》
抽出部５は、上記したような、ステップＳ１０ｄ、Ｓ１１ｄ、Ｓ１２ｄで、第１〜第５のグリッドシステムＧＳ１〜ＧＳ５の各々毎に使用可否フラグＦＧを変更することに代えて、グリッドシステムＧＳ１〜ＧＳ５の各々を構成する複数のグリッドポイントＧＰの各々毎に使用可否フラグＦＧを変更しても良い。本実施例においても、ステップＳ１０ｃ、Ｓ１１ｃ、Ｓ１２ｃでグリッドシステムの使用回数ＣＴを維持・変更する処理は、同じである。
【００５９】
具体的には、記憶部４は、図１８に示されたような、グリッドポイントＧＰ毎に吸着方法を記憶している。記憶部４は、例えば、グリッドポイントＧＰ（０、０）では、コンテンツＣの「左上」又は「右下」が吸着されることを記憶している。
【００６０】
第１〜第５のグリッドシステムＧＳ１〜ＧＳ５の使用回数ＣＴが、図１９に示されるように、「６」、「５」、「１０」、「８」、「２」であることを想定する場合、管理部３は、図２０に示されるように、グリッドポイントＧＰ毎に、第１〜第５のグリッドシステムＧＳ１〜ＧＳ５の各々での使用回数ＣＴを集計する。管理部３は、例えば、第１のグリッドシステムＧＳ１及び第３のグリッドシステムＧＳ３を構成するグリッドポイントＧＰ（１０、１０）（吸着方法は、「左上ｏｒ右下」（図１８に図示））について、第１、第３のグリッドシステムＧＳ１、ＧＳ３の使用回数ＣＴが、図１９に示されるように、「６」、「１０」であることから、グリッドポイントＧＰ（１０、１０）の使用回数ＣＴの合計ＳＭを「１６」であると集計する。
【００６１】
抽出部５は、図２０に示されるような、グリッドポイントＧＰ毎に使用回数の合計ＳＭを集計することを終えると、図２１に示されるように、使用回数ＣＴの合計ＳＭが大きい順にグリッドポイントＧＰを並び換え、かつ、使用回数の合計の累積ＣＵを算出し、当該累積ＣＵの値が、例えば、基準値「５００」に達するまでの間に合計ＳＭが累積されたグリッドポイントＧＰの使用可否フラグＦＧを「可」に設定し、他方で、「５００」に達した後のグリッドポイントＧＰの使用可否フラグＦＧを「否」に設定する。
【００６２】
具体的には、抽出部５は、使用回数の合計ＳＭが最大であるグリッドポイントＧＰ（２０、２０）の使用回数ＣＴ「２３」に、同様に使用回数の合計ＳＭが最大であるグリッドポイントＧＰ（４０、４０）の使用回数ＣＴ「２３」を加算することにより、使用回数の合計の累積ＣＵの値「４６」を算出し、更に、同様に使用回数ＣＴの合計が最大であるグリッドポイントＧＰ（６０、６０）の使用回数ＣＴ「２３」を加算することにより、使用回数の合計の累積ＣＵの値「６９」を算出する、という累積的な加算を行っていく。この結果、抽出部５は、グリッドポイントＧＰ（０、０）の前記使用回数の合計ＳＭ「１６」を加算した時点で、使用回数の合計の累積ＣＵの値「５０４」が基準値「５００」を超過することから、当該グリッドポイントＧＰ（０、０）より前に位置するグリッドポイントＧＰ（２０、２０）〜ＧＰ（１０、１０）の使用可否フラグＦＧを「可」に設定し、他方で、グリッドポイントＧＰ（０、０）以後の使用可否フラグＦＧを「否」に設定する。これにより、表示部６は、グリッドポイントＧＰ（２０、２０）〜ＧＰ（１０、１０）を表示することになる。このようにしても、上記したと同様な効果を得ることができる。
【図面の簡単な説明】
【００６３】
【図１】実施例のグリッドシステム選択支援装置の構成を示す図。
【図２】実施例の表示部での平面、グリッドシステム、グリッドポイント、コンテンツの関係を示す図。
【図３】実施例のグリッドシステムの内容を示す図（その１）。
【図４】実施例のグリッドシステムの内容を示す図（その２）。
【図５】実施例のグリッドシステムの内容を示す図（その３）。
【図６】実施例のグリッドシステム選択支援装置の基本動作を示すフローチャート。
【図７】コンピュータ装置の構成を示す図。
【図８】実施例のグリッドシステム選択支援装置の動作を示すフローチャート（その１）。
【図９】実施例のグリッドシステム選択支援装置の動作を示すフローチャート（その２）。
【図１０】実施例の使用履歴を示す図。
【図１１】実施例の表示部によるグリッドシステムの表示を示す図。
【図１２】実施例のコンテンツＣ１の配置を示す図。
【図１３】実施例のコンテンツＣ２の配置を示す図。
【図１４】実施例のコンテンツＣ３の配置を示す図。
【図１５】変形例３のグリッドポイント数を示す図。
【図１６】変形例３の使用履歴を示す図。
【図１７】変形例３の表示部によるグリッドシステムの表示を示す図。
【図１８】変形例４のグリッドポイントを示す図。
【図１９】変形例４のグリッドシステムの使用回数を示す図。
【図２０】変形例４のグリッドポイント毎の使用回数の合計を示す図。
【図２１】変形例４のグリッドポイント毎の使用回数の合計の累積を示す図。
【符号の説明】
【００６４】
Ｄ１…グリッドシステム選択支援装置、１…操作部、２…処理部、３…管理部、４…記憶部、５…抽出部、６…表示部。
【図１】
2007226289.tif 000003
【図２】
2007226289.tif 000004
【図３】
2007226289.tif 000005
【図４】
2007226289.tif 000006
【図５】
2007226289.tif 000007
【図６】
2007226289.tif 000008
【図７】
2007226289.tif 000009
【図８】
2007226289.tif 000010
【図９】
2007226289.tif 000011
【図１０】
2007226289.tif 000012
【図１１】
2007226289.tif 000013
【図１２】
2007226289.tif 000014
【図１３】
2007226289.tif 000015
【図１４】
2007226289.tif 000016
【図１５】
2007226289.tif 000017
【図１６】
2007226289.tif 000018
【図１７】
2007226289.tif 000019
【図１８】
2007226289.tif 000020
【図１９】
2007226289.tif 000021
【図２０】
2007226289.tif 000022
【図２１】
2007226289.tif 000023